(57)【要約】      （修正有）【課題】鉄板等製にて作成された方形の魚焼器の皿に使用する網を簡単・容易に取り外すことが可能な構造を提供する。【解決手段】魚焼器の皿（１１）の上部に構成されている鍔部（３）の平面部に開口部（１８）を形成し、同鍔部の外側の折り返し部分を適丸みのある形状にするか丸みを押し潰した形にし、上記平面部に位置する網枠の相対する辺間を連結する多数の連結線（２１）のうち、両端の連結線を枠外において角部が直角のＵ字状に形成した部分を９０度に曲げ、開口部（１８）と鍔部外側間の長さの１．５倍〜２倍程度の２分の一とした半径の丸みを底部にもつＵ字形にして網の取り付け部とし、同取り付け部が位置する鍔部の平面部の開口部（１８）の大きさを連結線の線径の２倍〜３倍とした。【選択図】図４
2004160139.tif 000002
【特許請求の範囲】
【請求項１】
方形の網の相対する辺間を多数の連結線にてなる格子状の網の両端の要連結線の先端を、枠線外にて９０度に曲げ底部に前文の開口部と鍔部外側間の１．５倍〜２倍程度の２分の一をアールとしたＵ字形の折り返し部を形成し、前文の開口部を網の連結線の線径の２倍〜３倍程度の大きさにて折り返し部の位置に合わして２ケ所に設けた網を容易に外すことができる魚焼器。
【請求項２】
方形の網の相対する辺間を多数の連結線にてなる格子状の網の両端の要連結線と同線に隣線とで、枠線外にて角部が直角のＵ字状にし、枠線外にて９０度に曲げ前文の開口部と鍔部外側間の１．５倍〜２倍程度の２分の一を底アールとしたＵ字形の折り返し部を形成し、前文の開口部を要連結線と隣線間＋余分な長さと連結線の線径の２倍〜３倍程度の大きさにて設け、網の折り返し部の位置に合わして２ヶ所に設けた網を容易に外すことができる魚焼器。
【請求項３】
方形の網の相対する辺間の辺中央部分より適等間隔の２本の連結線を要線として、同線を枠線外にて角部が直角のＵ字状にし、枠線外にて９０度に曲げ前文の開口部と鍔部外側間の１．５倍〜２倍程度の２分の一を底アールとしたＵ字形の折り返し部を形成し、前文の開口部を２本の連結線間＋余分な長さと連結線の線径の２倍〜３倍の大きさにて設け、折り返し部の位置に合わして１ヶ所に設けた網を容易に外すことができる魚焼器。
【発明の詳細な説明】
【０００１】
【産業上の利用分野】
本発明は、家庭等において普及しているガス火等を熱源とした魚焼器の皿部より網部の取り外しを容易に行う為に、
【０００２】
【従来に技術】
ホーロー製等の魚焼器の皿部と網部との取り外しが各魚焼器類において工夫した方法がもちいられていたが、各々容易に取り外せるものが少なく、本発明の発明者が平成６年５月１８日付けにて出願し、実用新案登録  第３００８０６２号
の
【網を取り外し出来る焼網器】が業界において着目されたが、
【０００３】
【発明が解決しようとする課題】
同実用新案登録願の申請書類内の
【詳細な説明】の末文に「掛具（１１）が完全に焼網器本体（１）より外れ網部（５）が矢印のように上部に動かすが支障無く出来、網部（５）のＶ字形の取り付け部（９）が容易に焼網器本体（１）の鍔部（３）の開口部（４）より外すことができ」と記載しているが、同申請書類内の図面の１図に図示しているように開口部（４）が２ヶ所ですと、全く同じ状態でなければ開口部（４）より網部（５）を外すことができず、又、本出願書類内の図２に図示しているように鍔部（３）に形成した開口部（４）と鍔部（３）の外側の同部の長さと、鍔部（３）に構成された逆Ｌ字形の曲部の長さによりＶ字形の取り付け部（９）のＶ字形内において突っ張り合いにより、開口部（４）より取り付け部（９）が外し難いところがあり、
【０００４】
【課題を解決する為の手段】
同状態を解決するために、本発明は、鉄板等にて方形で周辺に適高さの立ち上がり部のある皿の上端周囲に皿の外側向きに平面部をもつ鍔部をもち、同鍔部の先端に折返し部を形成させ、同折返し部を鍔部下側にて適丸み状にすることと、鍔部下側に平面部をもつ鍔部の平面部に適大きさの開口部を設け、同開口部と鍔部外側間を支持部としたものを鍔部の一辺に１〜２ヶ所形成させると共に、方形の網枠外に設ける網の皿への取り付け部を、網枠線間の連結する連結線の要線を網枠外にて９０度に曲げ、底部に丸みを構成するＵ字形にした折り返し部を形成し、同Ｕ字形のＵの内寸を上記した開口部と鍔部の外側間の支持部の１．５倍〜２倍程度にし、前記したＵ字形の底部の丸みをＵの内寸の２分の一としたアールにて形成させることにより、
【０００５】
【作用】
網の取り付け部のＵ字形の底部が丸み形成されているので、皿の鍔部の外側と同鍔部の平面部に形成した開口部間の支持部の適丸みのある状態に形成させた下面であるので、網の取り付け部のＵ字形のＵの内にて突っ張り合いすることがなく、その上、鍔に設けた支持部の下面が適丸み形でＵの内にて引っ掛かることがないので、
【０００６】
【効果】
スムーズに皿の鍔部より脱着でき、鍔部の開口部への網の取り付け部の挿入も容易にできる効果をゆうする網を容易に取り外しできる魚焼器ができます。
【０００７】
又、皿の鍔部の平面部に形成した開口部間の支持部の下面が、鍔部の折り返しの適丸み状態部分を押し潰す形に平面にしても、方形の網枠外に設けた網の皿への取り付け部を、網枠線間の連結する連結線を網枠外にて９０度に曲げ、折り返し部をもつ底部に丸みを構成するＵ字形にし、同Ｕ字形のＵの内寸を開口部と鍔部の外側間の支持部の１．５倍〜２倍程度にし、前記したＵ字形の底部の丸みをＵの内寸の２分の一としたアールを形成しているので、上記した押し潰した平面をもつ支持部は網の取り外しに支障がなく、鍔部の開口部への網の取り付け部の挿入も容易にできる魚焼器が出来ます。
尚、上記まで記載した開口部の大きさは、網の支持部に使用した連結線の線径の２倍〜３倍程度と以後に記載する連結線間＋適長さがよい。
【０００８】
網は、添付した実用新案登録願の申請書の図面の１図のように方形の枠線の相対する辺間を多数の連結線にて構成し、同連結線の中央部の２本にて枠線外に持手を装備しておりますが、本発明の網も同様でありますが、枠線内の両端部分の
要連結線を持手の反対側の枠線外に
【０００４】〜
【０００７】項迄に記載した網の取り付け部を、皿の鍔部の平面部に形成する開口部も前記平面全周上面とほぼ同位置に置く網枠の（Ａ）枠線の両端部の連結線の要線にて枠線外に形成するが、（Ｂ）上記網の取り付け部を前記連結線の要線と隣線とで角部が直角のＵ字状に形成してもよく、（Ｃ）枠線内の連結線を装備する枠辺の中央部分より適等間隔の２本の連結線を要線として使用し幅があり角部が直角のＵ字状に形成してもよい。
【０００９】
【０００７】項の末に記載した連結線間＋適長さは、上項に記載した（Ａ）では連結線の線径の２倍〜３倍、（Ｂ）ではＵ字状のＵ間の長さ＋余分な長さ、（Ｃ）ではＵ字状のＵ間の長さ＋余分な長さでよく、方形の皿の鍔部の平面状部の一辺に設ける開口部の数は、（Ａ）・（Ｂ）では１辺の２ヶ所、（Ｃ）では１ヶ所でよく、それぞれ、網の取り付け部の開口部（１８）と位置を合わした位置に設けるが、（Ｂ）・（Ｃ）では余分な長さがなくてもよい。
【００１０】
そして、
【０００５】項内の「皿の鍔部の外側と同鍔部の平面状に形成した開
口部間の支持部の適丸みのある状態に形成させた下面」・
【０００７】項内の「鍔部の折り返しの適丸み状態部分を押し潰す形にしても」の「適丸みのある状態」「適丸み状態部分」の長さは、上項の開口部の長さか両側に余分な長さでよく、極端な際は方形の鍔部の全周でもよい。
【００１１】
以上迄に記載したことで、網枠外に構成した網の取り付け部が皿の鍔部に形成した支持部の関係にて、実用新案登録  第３００９０６２号の問題点を解決した容易に網の取り外しできる魚焼器ができるものです。
【００１２】
【実施例】
以下、添付図面により説明する。
尚  図１・図２は、実用新案登録願の申請書の図面の１図・２図の符号３（鍔部）・４（開口部）・６（枠部）・９（取り付け部）を要部とした断面図で、図３以降は、本発明の同部分の断面図です。本発明の符号は１１以降にて示しています。
図１と図２において、網（５）の枠部（６）に連結線（８）の先端のＶ字形に形成した取り付け部（９）を、焼網器本体（１）の環状の立上り（２）の上部に鍔部（３）を構成し、同部（３）に形成した開口部（４）にて網（５）を上方向にもちあげると、図２に示すように鍔部（５）の折り返し部とＶ字形の形成した取り付け部（９）のＶ字形内にて突っ張りあいして取外し難い面がありました
本発明は、図３〜図６にて記載していますが、図１と図２と同様に本発明の要部の断面図であります。
図３・図４にて、鉄板等にて方形で周辺に適高さの立ち上がり部（１２）と同部上端周囲に皿（１）の外側に向きに平面部（１４）をもつ鍔部（１３）にて作成された魚焼器の皿（１）の平面部（１４）の要部に開口部（１８）を設け、鍔部（１３）の外側よりの折返し部（１５）は鍔部（１３）下側にて適丸み状にして支持部（１７）としております。
方形の鍔部（１３）の平面部（１４）上に位置する方形の枠線（２０）の対辺を連結する多数の連結線（２１）にて格子状に網（１９）を作成しており、枠線（２０）内の両端部分の要連結線（２１）を枠線（２０）外に設け、枠線（２０）外にて９０度に曲げて底部に丸みを構成したＵ字形にし、同Ｕ字形のＵの内寸を開口部（１４）と鍔部（１３）外部間の１．５倍〜２倍程度にて、Ｕ字形の底部の丸みをＵの内寸の２分の一としたアールにて形成した取り付け部（２２）をゆうした一連の構成にてなる網（１９）で、網（１９）の取り付け部（２２）の先端より皿（１１）の鍔部（１３）の開口部（１８）より支持部（１７）に挿入させ、網（１９）を図４のイの位置にさせることが、支持部（１７）の折り返し部（１５）の適丸みと網（１９）の取り付け部（２２）のアールにて容易にでき、且つ、網（１９）を図４のロの位置にさせることは、折り返し部（１５）の適丸みと取り付け部（２２）のアールにて突っ張りあいすることなく、引っかかることなく楽にでき、さらに網（１９）を図４のハの位置よりニの方向に動かすことで簡単に皿（１１）よりはずすことができる網を容易に取り外しできる魚焼器ができます。
【００１３】
さらに、図５・図６に示すように上項内の折り返し部（１５）を適丸み状態部分を押し潰す形に平面にした折り返し部（１６）で支持部（１７）を形成しても、網（１９）の取り付け部（２２）のＵの内寸が開口部（１４）と鍔部（１３）の外部間の１．５倍〜２倍程度にしているので余裕があるのと、取り付け部（２２）のＵ字形の底部のアールにより、図６に示すように網（１）をイの位置よりロの位置へ動かしても突っ張り合いしたり、引っかかることがなく、更にハからニ方向に動かすことにより網を簡単に取り外しできる魚焼器ができる。
【００１４】
図示していないが、皿（１１）の鍔部（１３）と網（１９）の取り付け部  （
２２）の状態は、開口部（１８）が
【０００８】項内に記載した（Ｂ）では、鍔部（１３）の平面部（１４）に取り付け部（２２）の位置にあわした２ヶ所の開口部（１８）でよく、同開口部（１８）の大きさは網（１３）の連結線（２１）の２倍〜３倍程度を径とした穴又は同程度の角穴でよく、（Ｃ）では連結線（２２）の隣線にて形成したＵ字状のＵ間の長さ＋余分な長さで２ヶ所でよく、（Ｄ）においては枠線（２０）内の連結線（２１）の枠線（２０）間の中央部分より適等間隔の２本の連結線（２０）を要線として使用し幅があり角部が直角のＵ字状のＵ線間の長さ＋余分な長さの一ヶ所でよく、（Ｃ）・（Ｄ）においては連結線（２１）の線径の２倍〜３倍の幅×（Ｃ）・（Ｄ）の長さの開口状態にて形成すれば、本発明の要旨である皿（１１）の支持部（１７）より網（１９）に設けた取り付け部（２２）が皿７（１１）の鍔部（１３）に設けた取付け部（１７）より簡単・容易に取り外しできる網をもつ魚焼器ができるものであり、
【００１５】
実用新案登録願に申請書の図面の１図の斜面図にて、左右の開口部（４）と左右の取り付け部（９）との関係において、焼網器本体（１）より網部（５）を外さんと上方向に持手（１０）を持ち上げた際、左右の取り付け部（９）が全く同じように左右の開口部（４）内にて動けば問題がないが、左右の動きが少しでも
違った際は、
【０００３】項内に記載したごとくになり、焼網器本体（１）より網部（５）が外し辛かったが、本発明は上項に記載した構成をしていますので、皿（１１）の開口部（１８）より容易に網（１９）の取り付け部（２２）を外すことができます。
【００１６】
【別実施例】
【０００４】〜
【０００９】の項迄に記載した方形の枠の相対する辺間を多数の連結線にて構成する格子状の網でしたが、多数の連結線の要線のみ残し枠線の連結線を装備した反対面等を碁盤目のクリンプ式アミにしてもよい。
【００１７】
【図面の簡単な説明】
【図１】は、実用新案登録  第３００８０８２号の申請書（添付）の図面の１図・２図の符号３．４．９の要部の断面図を図示したものです。
尚、符号は、実用新案登録申請時の図面のものを使用しています。
【図２】は、図１の網部を取出すときを示しています。
符号は、図１と同様に使用しています。
以下、本発明により符号は１１以上にて示しています。
【図３】は、本発明の要部の断面図で、図１を改良し発明したものです。
【図４】は、図３の網（１７）の展開図です。
【図５】は、本発明の要部の別断面図で、図１を改良し発明したものです。
【図６】は，図５の網（１７）の展開図です。
符号の説明
１＝焼網器本体  ２＝立上り  ３＝鍔部  ４＝開口部  ５＝網部
６＝枠部  ８＝連結線  ９＝取り付け部
１１＝皿  １２＝立ち上がり部  １３＝鍔部  １４＝平面部
１５＝丸みのある折り返し部  １６＝押し潰した折り返し部
１７＝支持部  １８＝開口部  １９＝網  ２０＝枠線  ２１＝連結線
２２＝取り付け部
【図１】
2004160139.tif 000003
【図２】
2004160139.tif 000004
【図３】
2004160139.tif 000005
【図４】
2004160139.tif 000006
【図５】
2004160139.tif 000007
【図６】
2004160139.tif 000008